(57)【要約】      （修正有）【課題】線内を全反射を繰り返して伝送されてくる光線の一部の、進歩的で新規な漏出構造と、当該構造を有する新たなＰＤ線を提供する。【解決手段】ＰＤ線１は、ＰＤ線を製造する時点で、同時にＰＤ線内に空気の気泡（バブル）１０を閉じ込めて、気泡（バブル）とＰＤ線内部との境界面で屈折率の違いを利用して、光軸の向きを変えることにより、全反射ではなく、一部の光線に屈折を起こさせて、線外に一部の光線を漏出させる。【選択図】図１
2020046488.tif 000002
【特許請求の範囲】
【請求項１】
本発明のバブルＰＤ線において、線内を全反射を繰り返してくる光線の一部を漏出させる手段としてＰＤ線を製造する時点で、同時にＰＤ線内に空気の気泡（バブル）を閉じ込めて製造され、当該の気泡（バブル）とＰＤ線内部との境界面で屈折率の違いを利用して、光軸の向きを変えることにより、全反射ではなく、一部の光線に屈折を起こさせて、線外に一部の光線を漏出させるバブルＰＤ線の構造。（特徴１）
【請求項２】
バブルＰＤ線に封じ込められる気泡（バブル）や小さな粒である無色透明のガラスあるいは人工ダイヤモンドの外径の大きさは、数ミクロン程度の大きさより、ＰＤ線外径寸法の６０パーセント以内である気泡（バブル）や小さな粒の外径の数値的な特徴であり、請求項１に記載のバブルＰＤ線の構造。（特徴２）
【請求項３】
バブルＰＤ線の材質は、プラスチック類などの合成樹脂から石英ガラスやＢＫ７などのガラス類、さらにフッ化ガラスなどの特殊なガラス類であり、使用目的に適した材質であります。レーザー光線などでは、当然ガラス製であります。また、ＰＤ医療などでは人体の内部を渡れる短い長さでも良いので、合成樹脂などでも安価になって適します。特に、狭い範囲を指定はせず、特殊といわれる材質も含み、使用目的に最も適する材質となり、新規に開発される新材料なども容易に取り込んでいける特徴を有し、請求項１ならびに請求項２のいずれかに記載のバブルＰＤ線の構造。（特徴３）
【請求項４】
本発明のバブルＰＤ線に入光させる光線は、当該のバブルＰＤ線に適応するＹＡＧレーザー光線やファイバーレーザー光線に代表される各種レーザー光線ならびに紫外線Ａ、Ｂ、Ｃなどの各種光線ならびにハロゲンランプ光線に代表される赤外線ならびに遠赤外線域の各種光線ならびに可視光線全域の水耕栽培などに使用する光線や照明源となる各種光線（ただし、赤外線域や紫外線域の光線を含む場合と含まない場合の両方が選択します。）であり、使用する目的と使用する分野に最適な光線であれば支障なく、当該バブルＰＤ線においては、この各種光線の全てまで入光光線とする請求項１ならびに請求項２ならびに請求項３のいずれかに記載のバブルＰＤ線の構造。（特徴４）
【請求項５】
バブルＰＤ線に封じ込められる気泡（バブル）の配備される位置は、ＰＤ線の中心部でも良く、さらに中心部を外れた位置でも支障はなく、ＰＤ線外表面と気泡の一部が同じ位置でも支障はなく、さらに、気泡が一部はじけてしまい気泡の一部が欠損した状態でも全く支障はない。バブルＰＤ線の原理のように、僅かな曲面を有していれば、光軸の向きを変えれるので支障はないという特徴を有する請求項１ならびに請求項２ならびに請求項３ならびに請求項４のいずれかに記載のバブルＰＤ線の構造。（特徴５）
【請求項６】
バブルＰＤ線の製造法について、最初にＰＤ線の材質となる合成樹脂製ペレットなどやガラス製の材料や、その他の最適なＰＤ線を作れる材料を準備して、当該材料を溶融炉に送ってバブルＰＤ線を製造するに適する温度まで加熱溶融します。加熱溶融された材料は、圧送ポンプにて吐出口方向に送りこまれて、吐き出し口に至る間に気泡やガラス製の小さな粒や小さな粒の人工ダイアモンドなどを混入させた後に、吐き出し口より装置外部に吐出されて、さらに冷却されながら本発明のバブルＰＤ線が製造される特徴を有し、請求項１ならびに請求項２ならびに請求項３ならびに請求項４ならびに請求項５のいずれかに記載のバブルＰＤ線の構造。（特徴８）
【発明の詳細な説明】
【技術分野】
【０００１】
本発明は、ＰＤ接合やＰＤ医療やＰＤ照明やＰＤ除菌殺菌などの各種に使用するＰＤ線であり、ＰＤ線より漏出する光線を用いて、ＰＤ線周囲の合成樹脂やアルミなどを加熱溶融させたり、ＰＤ線周囲の照明源となったり、ＰＤ線周囲を除菌殺菌したり、ＰＤ医療のように悪玉の細胞を焼灼したり、各種の分野において多種の広範囲の利用が可能なＰＤ線において、
ＰＤ線内に封じ込められた気泡とＰＤ線内部との境界面で全反射を起こし、光軸の向きを変えてＰＤ線内部と外部との境界面で全反射ではなく屈折を生じさせて内部の光線の一部を外部に漏出させる原理のバブルＰＤ線を手段として、
ＰＤ線に入光させた光線がＰＤ線内において全反射を繰り返して伝送される光線の一部をＰＤ線外に漏出させる手段を講じたバブルＰＤ線の構造に関する。
【０００２】
さらに、ＰＤ接合やＰＤ医療やＰＤ照明やＰＤ除菌殺菌などの各種に使用するＰＤ線であり、ＰＤ線より漏出する光線を用いて、ＰＤ線周囲の合成樹脂やアルミなどを加熱溶融させたり、ＰＤ線周囲の照明源となったり、ＰＤ線周囲を除菌殺菌したり、ＰＤ医療のように悪玉の細胞を焼灼したり、各種の分野において多種の広範囲の利用が可能なＰＤ線において、
ＰＤ線内に封じ込められた気泡とＰＤ線内部との境界面で全反射を起こし、光軸の向きを変えてＰＤ線内部と外部との境界面で全反射ではなく屈折を生じさせて内部の光線の一部を外部に漏出させる原理のバブルＰＤ線を手段として、
ＰＤ線に入光させた光線がＰＤ線内において全反射を繰り返して伝送される光線の一部をＰＤ線外に漏出させる手段を講じたバブルＰＤ線の原理に関する。
【０００３】
さらに、ＰＤ接合やＰＤ医療やＰＤ照明やＰＤ除菌殺菌などの各種に使用するＰＤ線であり、ＰＤ線より漏出する光線を用いて、ＰＤ線周囲の合成樹脂やアルミなどを加熱溶融させたり、ＰＤ線周囲の照明源となったり、ＰＤ線周囲を除菌殺菌したり、ＰＤ医療のように悪玉の細胞を焼灼したり、各種の分野において多種の広範囲の利用が可能なＰＤ線において、
ＰＤ線内に封じ込められた気泡とＰＤ線内部との境界面で全反射を起こし、光軸の向きを変えてＰＤ線内部と外部との境界面で全反射ではなく屈折を生じさせて内部の光線の一部を外部に漏出させる原理のバブルＰＤ線を手段として、
ＰＤ線に入光させた光線がＰＤ線内において全反射を繰り返して伝送される光線の一部をＰＤ線外に漏出させる手段を講じたバブルＰＤ線の製造法に関する。
【０００４】
さらに、本シリーズである先攻技術文献に記載の全特許文献に使用する全ＰＤ線に代わり、当該のバブルＰＤ線の構造および特徴を代用して、当該全シリーズに記載している全明細書ならびに全請求項ならびに全図面ならびに全要約書を本発明に適用させます。
【０００５】
また、ＰＤ線に一緒に封入されるバブルの種類とＰＤ線の材質に関する。
【０００６】
また、バブルＰＤ線の製造における特徴に関する。
【０００７】
また、バブルＰＤ線におけるバブルの外径の大きさとＰＤ線の外径との関係に関する。
【０００８】
さらに、本発明のバブルＰＤ線に入光させる光線の種類に関する。
入光させる光線は次の種類とします。当該のバブルＰＤ線に適応するＹＡＧレーザー光線やファイバーレーザー光線に代表される各種レーザー光線です。つぎに、紫外線Ａ、B、Ｃなどの各種です。つぎに、ハロゲンランプ光線に代表される赤外線ならびに遠赤外線域の各種光線です。つぎに、可視光線全域の水耕栽培などに使用する光線や照明源となる各種光線です。ただし、赤外線域や紫外線域の光線を含む場合と含まない場合の両方が選択出来ます。以上のように、使用する目的と使用する分野に最適な光線であれば支障なく、当該バブルＰＤ線においては、この各種光線の全てまで入光光線の種類として請求範囲とします。
【０００９】
なお、
当該のバブルＰＤ線に使用するＰＤの２文字は、  Ｐｒｅｓｅｎｔ  Ｄｒｅａｍ  Ｏｕｒ  Ｃｈｉｌｄｒｅｎ  ａｌｌ-ｏｖｅｒ  Ｊａｐａｎ   より命名しました。本シリーズの先行文献と同様です。
【背景技術】
【００１０】
従来技術におけるＰＤ線は、針状の凹みや目荒しを施して、ＰＤ線内を伝送してくる光線に乱反射や屈折を誘発させて、光線の一部をＰＤ線外に漏出させてＰＤ線周囲の合成樹脂などの溶着固着に用いていた。さらに、ＰＤ線周囲の照明源としたり、除菌殺菌や悪玉の焼灼などの用いていました。また、連珠ＰＤ線の構造を有する漏出手段も提案されているのみであり、数少ないのが実情であった。
【先行技術文献】
【特許文献】
【００１１】
【特許文献１】特願２０１７−０９２０５９  始まり
【特許文献２】特願２０１７−１００４３７  追加
【特許文献３】特願２０１７−１１５５１８  追加２
【特許文献４】特願２０１７−１４３１４１  追加３
【特許文献５】特願２０１７−２０３００６  追加４
【特許文献６】特願２０１７−２０８６９８  追加５
【特許文献７】特願２０１８−０００９０１  追加６
【特許文献８】特願２０１８ー０８７９３０  追加７
【特許文献９】特願２０１８−１２０３１０    ＰＤ８
【特許文献１０】特願２０１８−１２０３１５  ＰＤ１０
【発明の概要】
【発明が解決しようとする課題】
【００１２】
背景技術を鑑みて、ＰＤ線内を全反射を繰り返して伝送されてくる光線の一部をどのようにして線外に漏出させるのかを模索して、進歩的で新規な漏出構造の創出と当該構造を有する新たなＰＤ線の創出を課題とする。また、創出したＰＤ線の応用例を模索して各種の技術や製品群に展開させることを課題とする。
【課題を解決するための手段】
【００１３】
ＰＤ接合やＰＤ溶接やＰＤ治療やＰＤ照明などに応用出来る構造的な形態を有するバブルＰＤ線を課題解決の手段とする。
【発明の効果】
【００１４】
本発明のバブルＰＤ線は、従来技術の各種形態を有するＰＤ線の代用品として即時容易に代用させることが可能となった。したがって、従来のＰＤ線を搭載のＰＤ治療やＰＤ照明やＰＤ接合やＰＤ溶接などへの構造的な形態に容易に適応が出来ました。さらに、当該の構造的な形態を有する各種製品群の全てに容易に対応応用が出来ました。
【００１５】
さらに、日本国の独自新技術として、新たな産業や新たな技術の創出に寄与して、海外展開を推し進めて日本国の経済を発展させることが可能となりました。
【００１６】
さらに、漏出手段が増えよりことにより、応用例の範囲も格段に広がり、新製品の創出や開発製造に貢献して将来の日本の発展に寄与することが推測できました。
【図面の簡単な説明】
【００１７】
【図１】バブルＰＤ線の全体図  正面図および側面図  （一部断面表示あり）
【図２】（イ）は、図１のＡーＡ断面図。（ロ）は、図１のBーB断面図。（ハ）は、図１のＣーＣ断面図。（ニ）は、図１のＤ−Ｄ断面図。
【図３】バブルＰＤ線の製造全体概略図。（一部断面表示）
【図４】図３の吐出口付近の拡大図。
【図５】バブルＰＤ線の漏出原理説明図。（境界面で反射し、光軸の方向が多少変わる例）
【発明を実施するための形態】
【００１８】
本発明のバブルＰＤ線において、線内を全反射を繰り返してくる光線の一部を漏出させる手段としてＰＤ線を製造する時点で、同時にＰＤ線内に空気の気泡を閉じ込めて製造され、当該の気泡とＰＤ線内部との境界面で屈折率の違いを利用して、光軸の向きを変えることにより、全反射ではなく、一部の光線に屈折を起こさせて、線外に一部の光線を漏出させる構造に特徴を有する形態をしている。（特徴１）
【００１９】
ここで、封じ込められる気泡の外径の大きさは、数ミクロン程度の大きさより、ＰＤ線外径寸法の６０パーセント以内である特徴を有する形態をしています。（特徴２）
【００２０】
また、バブルＰＤ線の材質は、プラスチック類などの合成樹脂から石英ガラスやＢＫ７などのガラス類、さらにフッ化ガラスなどの特殊なガラス類であり、使用目的に適した材質であります。レーザー光線などでは、当然ガラス製であります。また、ＰＤ医療などでは人体の内部を渡れる短い長さでも良いので、合成樹脂などでも安価になって適します。特に、狭い範囲を指定はせず、特殊といわれる材質も含み、使用目的に最も適する材質となり、新規に開発される新材料なども容易に取り込んでいける特徴を有する形態をしています。（特徴３）
【００２１】
次に、本発明のバブルＰＤ線に入光させる光線は次の種類とします。当該のバブルＰＤ線に適応するＹＡＧレーザー光線やファイバーレーザー光線に代表される各種レーザー光線です。つぎに、紫外線Ａ、Ｂ、Ｃなどの各種です。つぎに、ハロゲンランプ光線に代表される赤外線ならびに遠赤外線域の各種光線です。つぎに、可視光線全域の水耕栽培などに使用する光線や照明源となる各種光線です。ただし、赤外線域や紫外線域の光線を含む場合と含まない場合の両方が選択出来ます。以上のように、使用する目的と使用する分野に最適な光線であれば支障なく、当該バブルＰＤ線においては、この各種光線の全てまで入光光線の種類として請求範囲を特徴とする形態をしています。（特徴４）
【００２２】
次に、封じ込められる気泡の配備される位置は、ＰＤ線の中心部でも良く、さらに中心部を外れた位置でも支障はなく、ＰＤ線外表面と気泡の一部が同じ位置でも支障はなく、さらに、気泡が一部はじけてしまい気泡の一部が欠損した状態でも全く支障はない。バブルＰＤ線の原理のように、僅かな曲面を有していれば、光軸の向きを変えれるので支障はないという特徴を有する形態をしています。（特徴５）
【００２３】
次に、気泡を封じ込める上で、ＰＤ線の材質が合成樹脂などの溶融温度の低い場合には十分に封じ込めが可能であります。実際に製造して、気泡の封じ込めが難しい場合には、気泡の代わりに溶融温度の高い無色透明なガラスの小さな粒を代わりに封じ込めても原理に似た状態を作ることが出来ます。屈折率の違いも考慮出来ますが、光軸が最初に入射する境界面では反射でなく屈折を起こして小さな粒のガラス内部に屈折を起こして一度内部に入る。入った光軸は、粒の内面とＰＤ線との境で屈折や反射により当初の光軸の向きと異なる向きを向くので、ＰＤ線内部と外部との境で屈折を起こして、一部の光線はＰＤ線外に漏出します。ガラスの小さな粒に代わって、無色透明な人工ダイヤモンドの粒などの使用も可能な特徴を有する形態をしています。（特徴６）
【００２４】
つぎに、レーザー光線用のガラス製のバブルＰＤ線では、ガラス自体の溶融温度が１０００度を超えるので、その中に空気の気泡を封じ込めることは不可能であります。ここで、前記の溶融温度が２０００度を超える性質を有するため、当然ながら１０００度を超えるガラスの中に、無色透明な人工ダイアモンドの小さな粒を使用することが出来る特徴を有する形態をしています。（特徴７）
【００２５】
つぎに、バブルＰＤ線の製造法について、最初にＰＤ線の材質となる合成樹脂製ペレットなどやガラス製の材料や、その他の最適なＰＤ線を作れる材料を準備して、当該材料を溶融炉に送ってバブルＰＤ線を製造するに適する温度まで加熱溶融します。加熱溶融された材料は、圧送ポンプにて吐出口方向に送りこまれて、吐き出し口に至る間に気泡やガラス製の小さな粒や小さな粒の人工ダイアモンどなどを混入させた後に、吐き出し口より装置外部に吐出されて、さらに冷却されながら本発明のバブルＰＤ線が製造される特徴を有する形態を有している。（特徴８）
【００２６】
つぎに、気泡や小さな粒のガラスや人工ダイアモンドを排出するノ気泡（バブル）ノズルは、材料の圧送ポンプと吐き出し口との間に配備される特徴を有する形態をしている。さらに、当然ながらガラス製のバブルＰＤ線を製造する際には、気泡（バブル）ノズルは通常耐熱温度３００前後の金属製と異なり、特に高融点金属材料を選択することに支障はない特徴を有する形態をしている。（特徴９）
【００２７】
ここで、バブルＰＤ線に封じ込められる気泡や小さな粒類の封じ込める間隔は、ＰＤ伝送部とＰＤ放散部との必要位置に配備され、間隔もＰＤ放散部で最も効率の良く、ほぼ均一にＰＤ線内部より外部への漏出が起きるように決定されて、さらに気泡の大きさや粒の大きさについても最適になるように決定される特徴を有する形態をしている。（特徴１０）
【００２８】
つぎに、バブルＰＤ線の原理について、ＰＤ線に入光されてＰＤ線内を全反射してきた光軸は、バブルＰＤ線内に封じ込められた空気の気泡とＰＤ線内部との境界で全反射を起こして、光軸の向きを変えることによりＰＤ線内部と外部との境界で屈折を起こして一部の光軸が全反射でなくＰＤ線外部に漏出する原理に特徴を有する形態をしている。（特徴１１）
【実施例】
【００２９】
本発明のバブルＰＤ線線について実施例で説明します。
図１は、バブルＰＤ線の全体図を図示しており、正面図および側面図がそれぞれ図示されています。正面図では一部断面表示しています。１は本発明のバブルＰＤ線であります。図示のようにＰＤ線１の内部には、気泡（バブル）１０が封じ込められています。
本発明のバブルＰＤ線１において、線内を全反射を繰り返してくる光線の一部を漏出させる手段としてバブルＰＤ線１を製造する時点で、同時にバブルＰＤ線１の内部に空気の気泡１０（バブル）を閉じ込めて製造され、当該の気泡１０とＰＤ線内部との境界面で屈折率の違いを利用して、光軸の向きを変えることにより、全反射ではなく、一部の光線に屈折を起こさせて、線外に一部の光線を漏出させる構造（図５のバブルＰＤ線の漏出原理説明図を参照。）に特徴を有している。（特徴１）
【００３０】
つぎに、図２（イ）は、図１のＡーＡ断面図を図示しております。（ロ）は、図１のBーB断面図を図示しております。（ハ）は、図１のＣーＣ断面図を図示しております。（ニ）は、図１のＤ−Ｄ断面図を図示しております。
（イ）は、バブルＰＤ線の中心に気泡（バブル）１０が配置されています。（ロ）は、バブルＰＤ線の中心を外して気泡（バブル）１０が配置されています。（ハ）は、バブルＰＤ線の外表面と気泡（バブル）１０の一部表面が同一に配置されています。（ニ）は、バブルＰＤ線の外表面に気泡（バブル）１０が欠損した状態で配置されています。この４つのどの断面図であっても、バブルＰＤ線の漏出原理説明図にて同様な説明が付きます。従って、気泡（バブル）１０の配置位置はどの図でも支障はありません。
【００３１】
ここで、封じ込められる気泡の外径の大きさは、数ミクロン程度の大きさより、ＰＤ線外径寸法の６０パーセント以内である特徴を有する特徴を有しています。（特徴２）
【００３２】
また、バブルＰＤ線の材質は、プラスチック類などの合成樹脂から石英ガラスやＢＫ７などのガラス類、さらにフッ化ガラスなどの特殊なガラス類であり、使用目的に適した材質であります。レーザー光線などでは、当然ガラス製であります。また、ＰＤ医療などでは人体の内部を渡れる短い長さでも良いので、合成樹脂などでも安価になって適します。特に、狭い範囲を指定はせず、特殊といわれる材質も含み、使用目的に最も適する材質となります。さらに、新規に開発される新材料なども容易に取り込んでいける特徴を有しています。（特徴３）
【００３３】
次に、本発明のバブルＰＤ線に入光させる光線は次の種類とします。当該のバブルＰＤ線に適応するＹＡＧレーザー光線やファイバーレーザー光線に代表される各種レーザー光線です。つぎに、紫外線Ａ、Ｂ、Ｃなどの各種です。つぎに、ハロゲンランプ光線に代表される赤外線ならびに遠赤外線域の各種光線です。つぎに、可視光線全域の水耕栽培などに使用する光線や照明源となる各種光線です。ただし、赤外線域や紫外線域の光線を含む場合と含まない場合の両方が選択出来ます。以上のように、使用する目的と使用する分野に最適な光線であれば支障なく、当該バブルＰＤ線においては、この各種光線の全てまで入光光線の種類を特徴としている。（特徴４）
【００３４】
次に、封じ込められる気泡の配備される位置は、ＰＤ線の中心部でも良く、さらに中心部を外れた位置でも支障はなく、ＰＤ線外表面と気泡の一部が同じ位置でも支障はなく、さらに、気泡が一部はじけてしまい気泡の一部が欠損した状態でも全く支障はない。バブルＰＤ線の原理のように、僅かな曲面を有していれば、光軸の向きを変えれるので支障はないという特徴を有している。（特徴５）
【００３５】
次に、気泡を封じ込める上で、ＰＤ線の材質が合成樹脂などの溶融温度の低い場合には十分に封じ込めが可能であります。実際に製造して、気泡の封じ込めが難しい場合には、気泡の代わりに溶融温度の高い無色透明なガラスの小さな粒を代わりに封じ込めても原理に似た状態を作ることが出来ます。屈折率の違いも考慮出来ますが、光軸が最初に入射する境界面では反射でなく屈折を起こして小さな粒のガラス内部に屈折を起こして一度内部に入る。入った光軸は、粒の内面とＰＤ線との境で屈折や反射により当初の光軸の向きと異なる向きを向くので、ＰＤ線内部と外部との境で屈折を起こして、一部の光線はＰＤ線外に漏出します。ガラスの小さな粒に代わって、無色透明な人工ダイヤモンドの粒などの使用も可能な特徴を有しています。（特徴６）
【００３６】
つぎに、レーザー光線用のガラス製のバブルＰＤ線では、ガラス自体の溶融温度が１０００度を超えるので、その中に空気の気泡を封じ込めることは不可能であります。ここで、前記の溶融温度が２０００度を超える性質を有するため、当然ながら１０００度を超えるガラスの中に、無色透明な人工ダイアモンドの小さな粒を使用することが出来る特徴を有しています。（特徴７）
【００３７】
つぎに、バブルＰＤ線の製造法の概略図を図３のバブルＰＤ線の製造全体概略図に図示しています。一部断面は表示としてあります。図４には、図３の吐出口付近の拡大図を示しています。両方の図面を合わせて説明に用います。バブルＰＤ線の製造法について、最初に１００，２００，３００のＰＤ線の材質となる合成樹脂製ペレットなどやガラス製の材料や、その他の最適なＰＤ線を作れる材料を準備して、当該材料を溶融炉９０に送り、溶融炉加熱源８０のバーナーなど溶融炉９０を加熱して、当該材料を適切な温度まで加熱溶融させます。加熱溶融された材料は、圧送ポンプ７０にて吐出口５０の方向に送り出されます。送り出された溶融した材料には、吐き出し口５０に至る間に気泡（バブル）１０やガラス製の小さな粒や小さな粒の人工ダイアモンドなどを混入させた後に、吐き出し口５０より装置外に吐出されます。吐出されて、さらに冷却されながら本発明のバブルＰＤ線１が製造される特徴を有している。（特徴８）
【００３８】
つぎに、気泡や小さな粒のガラスや人工ダイアモンドを排出する気泡（バブル）ノズル４０は、材料の圧送ポンプ７０と吐き出し口５０との間に配備されて、そのノズル先端４２より気泡や小さな粒のガラスや人工ダイアモンドを排出される特徴を有している。さらに、当然ながらガラス製のバブルＰＤ線を製造する際には、気泡（バブル）ノズル４０は通常耐熱温度３００前後の金属製と異なり、特に高融点金属材料を選択することに支障はない特徴を有している。（特徴９）
【００３９】
ここで、バブルＰＤ線に封じ込められる気泡（バブル）や小さな粒類の封じ込める間隔は、ＰＤ伝送部とＰＤ放散部との必要位置に配備され、間隔もＰＤ放散部で最も効率の良く、ほぼ均一にＰＤ線内部より外部への漏出が起きるように決定されて、さらに気泡の大きさや粒の大きさについても最適になるように決定される特徴を有している。（特徴１０）
【００４０】
つぎに、図５は、バブルＰＤ線の漏出原理説明図です。気泡（バブル）１０とＰＤ線内部境界面で反射し、光軸の方向が多少変わる例を示しています。バブルＰＤ線の原理について、ＰＤ線に入光されてＰＤ線内を全反射してきた光軸３は、バブルＰＤ線内に封じ込められた空気の気泡（バブル）１０とＰＤ線内部との境界で全反射を起こして、光軸の向きを変えることによりＰＤ線内部と外部との境界で屈折を起こして一部の光軸が全反射でなくＰＤ線外部に光軸５となって漏出する原理に特徴を有している。（特徴１１）
【００４１】
図５では、バブルＰＤ線１の内部を６９度の光軸３の臨界角（仮）より大きな角度で全反射を繰り返してきた光軸３は、気泡（バブル）あるいは小さな粒１０の表面の曲面の一部を入射点として入射される。この入射点において、気泡（バブル）あるいは小さな粒１０の表面の曲面に光軸３が気泡表面における入射点での接線６を描き、この接線７の入射点に法線６を描きます。法線６を対称軸に光軸３を反転させます。反転した光軸４は、図５に示すようにバブルＰＤ線の内部と外部の境界において、５８度の入射角の実測値を有している。この角度は６９度の光軸３の臨界角（仮）より小さいので、バブルＰＤ線１の線外に屈折して漏出します。この漏出した光線がバブルＰＤ線内部より屈折してＰＤ線外部に漏出した光軸５です。このような原理でバブルＰＤ線１は作用しております。
この漏出した光線５が、ＰＤ線の周囲の合成樹脂やアルミなどを溶着固着させる。また、照明源となったり、除菌殺菌の光線源であったり、悪玉の焼灼に利用される光線であります。  また、図５中の９００は、気泡がなければ同一の光軸３であったものを示しています。
【００４２】
以上のような原理を源にした本発明のバブルＰＤ線１は、数多くの分野で多岐に渡り利用されます。本シリーズである先攻技術文献に記載の全特許文献に使用する全ＰＤ線に代わり、当該のバブルＰＤ線の構造および特徴を代用して、当該全シリーズに記載している全明細書ならびに全請求項ならびに全図面ならびに全要約書を本発明に適用される他に多くの利用法が模索出来ます。
【産業上の利用可能性】
【００４３】
現在の所、ＰＤ線を使用して、その漏出する光線を利用するＰＤ方式は、進歩的であり、従来技術では創出することができなかった新たな技術や製品群を数多く創出して、技術の進歩に寄与している。また、当業者の発明を促す刺激になれば産業が発展する。
【００４４】
特に,シリーズ中のＰＤ８のＰＤ医療に関する医療関係者の皆様のご意見や不足のところなど率直にお伺い致したいのです。病魔に苦しむ一人の患者様を救いたいのです。  pdocj.com  にホームページを開いております。  当該のホームページより発明者に直接ご意見などを頂ければ幸いに存じます。  よろしくお願い致します。
【符号の説明】
【００４５】
１      バブルＰＤ線
３      バブルＰＤ線内を全反射を繰り返し伝送する光線光軸３
４      １０の気泡表面で光軸３の向きが変わった光軸４
５      光軸４がバブルＰＤ線内部より屈折してＰＤ線外部に漏出した光軸５
６      光軸３が気泡表面における入射点での接線７の法線
７      光軸３が気泡表面における入射点での接線
１０    気泡（バブル）あるいは小さな粒
２０    吐き出し口に向かう溶融したバブルＰＤ線の材料
３０    気泡（バブル）圧送ポンプ
４０    気泡（バブル）ノズル
４２    気泡（バブル）ノズル先端
５０    吐き出し口
６０    材料圧送ポンプ
７０    材料圧送ポンプ
８０    溶融炉加熱源
９０    溶融炉
５８度  入射角の実測値
６９度  光軸３の臨界角（仮）
９００  気泡がなければ同一の光軸３
１００，２００，３００    バブルＰＤ線の材質となる合成樹脂製ペレットやガラス材料やその他特殊ガラスを含む特殊な材料など
４００，５００，６００    バブルＰＤ線に封じ込める気泡となる空気や小さな粒のガラスや小さな粒の人工ダイアモンドなど
【図１】
2020046488.tif 000003
【図２】
2020046488.tif 000004
【図３】
2020046488.tif 000005
【図４】
2020046488.tif 000006
【図５】
2020046488.tif 000007